(57)【要約】【課題】自動無段変速機構の提供。【解決手段】枢軸に複数の架接盤が設けられ、該架接盤に軸棒の滑動と回転に供されるガイドレールが設けられ、該軸棒に連動機構、回復機構及び駆動手段が設けられ、この駆動手段に伝動手段が組み合わされ、該駆動手段が歯車、該伝動手段がチェーンとされ、該伝動手段が駆動手段を駆動する時、連動機構及び回復機構の作用により、軸棒がガイドレールにおいて滑動し、駆動手段の回転半径を改変し、自動無段変速機能を達成する。【選択図】　　　　図１
2004116586.tif 000002
【特許請求の範囲】
【請求項１】
自動無段変速機構において、枢軸に複数の架接盤が設けられ、且つこれら架接盤に軸棒の滑動と回転に供されるガイドレールが設けられ、該軸棒に連動機構、回復機構及び駆動手段が設けられ、且つこの駆動手段に伝動手段が掛けられ、該ガイドレール、連動機構、回復機構及び駆動手段の設計により、軸棒がガイドレール上を滑動することを特徴とする、自動無段変速機構。
【請求項２】
請求項１に記載の自動無段変速機構において、ガイドレールが径方向の溝とされたことを特徴とする、自動無段変速機構。
【請求項３】
請求項１に記載の自動無段変速機構において、連動機構が、チェーン、軸棒とチェーン間に組み付けられた連接手段、架接盤に設けられた連接棒及び連接棒とチェーン間に組み付けられた固定手段で組成されたことを特徴とする、自動無段変速機構。
【請求項４】
請求項３に記載の自動無段変速機構において、チェーンの一端が連接手段で軸棒に組み付けられ、もう一端が固定手段で連接棒に組み付けられ、該チェーンにより軸棒が回転させられると共にガイドレール内で滑動することを特徴とする、自動無段変速機構。
【請求項５】
請求項１に記載の自動無段変速機構において、連動機構がチェーン、軸棒とチェーン間に組み付けられた連接手段、架接盤に設けられた固定棒及び固定棒とチェーン間に組み付けられた固定手段で組成されたことを特徴とする、自動無段変速機構。
【請求項６】
請求項５に記載の自動無段変速機構において、チェーンの一端が連接手段で軸棒に組み付けられ、もう一端が固定手段で固定棒に組み付けられ、該チェーンにより軸棒が回転させられると共にガイドレール内で滑動することを特徴とする、自動無段変速機構。
【請求項７】
請求項４又は請求項６に記載の自動無段変速機構において、連接手段に軸棒の組み付けに供される受接孔が開設されたことを特徴とする、自動無段変速機構。
【請求項８】
請求項４に記載の自動無段変速機構において、固定手段に連接棒の組み付けに供される受接孔が開設されたことを特徴とする、自動無段変速機構。
【請求項９】
請求項６に記載の自動無段変速機構において、固定手段に固定棒の組み付けに供される受接孔が開設されたことを特徴とする、自動無段変速機構。
【請求項１０】
請求項１に記載の自動無段変速機構において、連動機構が軸棒に組み付けられた歯車と枢軸に組み付けられたラックで組成されたことを特徴とする、自動無段変速機構。
【請求項１１】
請求項１０に記載の自動無段変速機構において、歯車に軸棒の組み付けに供される貫通孔が開設されたことを特徴とする、自動無段変速機構。
【請求項１２】
請求項１に記載の自動無段変速機構において、連動機構がスチールケーブル、軸棒とスチールケーブル間に組み付けられた連接手段、架接盤に設けられた連接棒及び連接棒とスチールケーブル間に組み付けられた固定手段で組成されたことを特徴とする、自動無段変速機構。
【請求項１３】
請求項１２に記載の自動無段変速機構において、スチールケーブルの一端が連接手段で軸棒に組み付けられ、もう一端が固定手段で連接棒に組み付けられ、スチールケーブルにより該軸棒が回転させられると共にガイドレール内を滑動することを特徴とする、自動無段変速機構。
【請求項１４】
請求項１に記載の自動無段変速機構において、連動機構がスチールケーブル、軸棒とスチールケーブル間に組み付けられた連接手段、架接盤に設けられた固定棒及び固定棒とスチールケーブル間に組み付けられた固定手段で組成されたことを特徴とする、自動無段変速機構。
【請求項１５】
請求項１４に記載の自動無段変速機構において、スチールケーブルの一端が連接手段で軸棒に組み付けられ、もう一端が固定手段で固定棒に組み付けられ、スチールケーブルにより該軸棒が回転させられると共にガイドレール内を滑動することを特徴とする、自動無段変速機構。
【請求項１６】
請求項１３又は請求項１５に記載の自動無段変速機構において、連接手段に軸棒の組み付けに供される受接孔が開設されたことを特徴とする、自動無段変速機構。
【請求項１７】
請求項１３に記載の自動無段変速機構において、固定手段に連接棒の組み付けに供される受接孔が開設されたことを特徴とする、自動無段変速機構。
【請求項１８】
請求項１５に記載の自動無段変速機構において、固定手段に固定棒の組み付けに供される受接孔が開設されたことを特徴とする、自動無段変速機構。
【請求項１９】
請求項１に記載の自動無段変速機構において、回復機構が引張りバネ、架接盤に設けられた固定棒及び架接盤に設置された連接棒で組成されたことを特徴とする、自動無段変速機構。
【請求項２０】
請求項１９に記載の自動無段変速機構において、引張りバネの一端が軸棒に組み付けられ、もう一端が固定棒に巻かれた後に連接棒に組み付けられ、該引張りバネにより軸棒が回転させられると共にガイドレール内を滑動することを特徴とする、自動無段変速機構。
【請求項２１】
請求項１９に記載の自動無段変速機構において、引張りバネの一端が軸棒に組み付けられ、もう一端が連接棒に巻かれた後に固定棒に組み付けられ、該引張りバネにより軸棒が回転させられると共にガイドレール内を滑動することを特徴とする、自動無段変速機構。
【請求項２２】
請求項１に記載の自動無段変速機構において、回復機構が板バネ及び架接盤に設けられた固定棒で組成されたことを特徴とする、自動無段変速機構。
【請求項２３】
請求項２２に記載の自動無段変速機構において、板バネの一端が軸棒に組み付けられ、もう一端が固定棒に組み付けられ、該板バネにより軸棒が回転させられると共にガイドレール内を滑動することを特徴とする、自動無段変速機構。
【請求項２４】
請求項１に記載の自動無段変速機構において、回復機構が板バネ及び架接盤に設けられた連接棒で組成されたことを特徴とする、自動無段変速機構。
【請求項２５】
請求項２４に記載の自動無段変速機構において、板バネの一端が軸棒に組み付けられ、もう一端が連接棒に組み付けられ、該板バネにより軸棒が回転させられると共にガイドレール内を滑動することを特徴とする、自動無段変速機構。
【請求項２６】
請求項１に記載の自動無段変速機構において、回復機構が弾性ゴム材及び架接盤に設けられた固定棒及び架接盤に設置された連接棒で組成されたことを特徴とする、自動無段変速機構。
【請求項２７】
請求項２６に記載の自動無段変速機構において、弾性ゴム材の一端が軸棒に組み付けられ、もう一端が固定棒に巻かれた後に連接棒に組み付けられ、該弾性ゴム材により軸棒が回転させられると共にガイドレール内を滑動することを特徴とする、自動無段変速機構。
【請求項２８】
請求項２６に記載の自動無段変速機構において、弾性ゴム材の一端が軸棒に組み付けられ、もう一端が連接棒に巻かれた後に固定棒に組み付けられ、該弾性ゴム材により軸棒が回転させられると共にガイドレール内を滑動することを特徴とする、自動無段変速機構。
【請求項２９】
請求項１に記載の自動無段変速機構において、駆動手段に軸棒の嵌設に供される固定孔が開設されたことを特徴とする、自動無段変速機構。
【請求項３０】
請求項１に記載の自動無段変速機構において、駆動手段が歯車とされたことを特徴とする、自動無段変速機構。
【請求項３１】
請求項１に記載の自動無段変速機構において、伝動手段がチェーンとされたことを特徴とする、自動無段変速機構。
【請求項３２】
請求項１に記載の自動無段変速機構において、枢軸に凸部が設けられ、且つ架接盤の該凸部の嵌め込みに供される部分に凹溝が設けられ、該凸部と凹溝により、枢軸が回転時に架接盤を駆動し同期に回転させることを特徴とする、自動無段変速機構。
【請求項３３】
請求項１に記載の自動無段変速機構において、伝動手段が枢軸の軸心と同じ水平面上にあるローラに掛けられて伝動手段の緊張度の保持を達成したことを特徴とする、自動無段変速機構。
【発明の詳細な説明】
【０００１】
【発明の属する技術分野】
本発明の一種の自動無段変速機構に係り、特に、枢軸に複数の架接盤が設置され、且つこれら架接盤に軸棒の滑動と回転に供されるガイドレールが設けられ、この軸棒に連動機構、回復機構及び駆動手段が設けられ、この駆動手段に伝動手段が組み合わされた、自動無段変速機構に関する。
【０００２】
【従来の技術】
従来の連続無段変速歯車セットは、入力軸、高速歯車セット、低速歯車セット、出力軸、入力軸と高速歯車セット駆動輪及び低速歯車セット駆動輪を連接する差速装置、出力軸と高速歯車セット従動輪及び低速歯車セット従動輪を連接する差速装置、を具え、ゆえにこの周知の変速装置中にあっては、歯車と歯車が組み合わされて伝動し、これにより、放熱用の保養油を添加して歯車と歯車間の接触点に摩擦により発生する高熱を下げなければならない（例えば特許文献１参照。）。
【０００３】
【特許文献１】
台湾特許公告第４８６２２１号明細書
【０００４】
【発明が解決しようとする課題】
本発明の主要な目的は、放熱用保養油不要の変速機構を提供することにある。
【０００５】
本発明の次の目的は、速度比を自動無段変換できる変速機構を提供することにある。
【０００６】
【課題を解決するための手段】
請求項１の発明は、自動無段変速機構において、枢軸に複数の架接盤が設けられ、且つこれら架接盤に軸棒の滑動と回転に供されるガイドレールが設けられ、該軸棒に連動機構、回復機構及び駆動手段が設けられ、且つこの駆動手段に伝動手段が掛けられ、該ガイドレール、連動機構、回復機構及び駆動手段の設計により、軸棒がガイドレール上を滑動することを特徴とする、自動無段変速機構としているとしている。
請求項２の発明は、請求項１に記載の自動無段変速機構において、ガイドレールが径方向の溝とされたことを特徴とする、自動無段変速機構としている。
請求項３の発明は、請求項１に記載の自動無段変速機構において、連動機構が、チェーン、軸棒とチェーン間に組み付けられた連接手段、架接盤に設けられた連接棒及び連接棒とチェーン間に組み付けられた固定手段で組成されたことを特徴とする、自動無段変速機構としている。
請求項４の発明は、請求項３に記載の自動無段変速機構において、チェーンの一端が連接手段で軸棒に組み付けられ、もう一端が固定手段で連接棒に組み付けられ、該チェーンにより軸棒が回転させられると共にガイドレール内で滑動することを特徴とする、自動無段変速機構としている。
請求項５の発明は、請求項１に記載の自動無段変速機構において、連動機構がチェーン、軸棒とチェーン間に組み付けられた連接手段、架接盤に設けられた固定棒及び固定棒とチェーン間に組み付けられた固定手段で組成されたことを特徴とする、自動無段変速機構としている。
請求項６の発明は、請求項５に記載の自動無段変速機構において、チェーンの一端が連接手段で軸棒に組み付けられ、もう一端が固定手段で固定棒に組み付けられ、該チェーンにより軸棒が回転させられると共にガイドレール内で滑動することを特徴とする、自動無段変速機構としている。
請求項７の発明は、請求項４又は請求項６に記載の自動無段変速機構において、連接手段に軸棒の組み付けに供される受接孔が開設されたことを特徴とする、自動無段変速機構としている。
請求項８の発明は、請求項４に記載の自動無段変速機構において、固定手段に連接棒の組み付けに供される受接孔が開設されたことを特徴とする、自動無段変速機構としている。
請求項９の発明は、請求項６に記載の自動無段変速機構において、固定手段に固定棒の組み付けに供される受接孔が開設されたことを特徴とする、自動無段変速機構としている。
請求項１０の発明は、請求項１に記載の自動無段変速機構において、連動機構が軸棒に組み付けられた歯車と枢軸に組み付けられたラックで組成されたことを特徴とする、自動無段変速機構としている。
請求項１１の発明は、請求項１０に記載の自動無段変速機構において、歯車に軸棒の組み付けに供される貫通孔が開設されたことを特徴とする、自動無段変速機構としている。
請求項１２の発明は、請求項１に記載の自動無段変速機構において、連動機構がスチールケーブル、軸棒とスチールケーブル間に組み付けられた連接手段、架接盤に設けられた連接棒及び連接棒とスチールケーブル間に組み付けられた固定手段で組成されたことを特徴とする、自動無段変速機構としている。
請求項１３の発明は、請求項１２に記載の自動無段変速機構において、スチールケーブルの一端が連接手段で軸棒に組み付けられ、もう一端が固定手段で連接棒に組み付けられ、スチールケーブルにより該軸棒が回転させられると共にガイドレール内を滑動することを特徴とする、自動無段変速機構としている。
請求項１４の発明は、請求項１に記載の自動無段変速機構において、連動機構がスチールケーブル、軸棒とスチールケーブル間に組み付けられた連接手段、架接盤に設けられた固定棒及び固定棒とスチールケーブル間に組み付けられた固定手段で組成されたことを特徴とする、自動無段変速機構としている。
請求項１５の発明は、請求項１４に記載の自動無段変速機構において、スチールケーブルの一端が連接手段で軸棒に組み付けられ、もう一端が固定手段で固定棒に組み付けられ、スチールケーブルにより該軸棒が回転させられると共にガイドレール内を滑動することを特徴とする、自動無段変速機構としている。
請求項１６の発明は、請求項１３又は請求項１５に記載の自動無段変速機構において、連接手段に軸棒の組み付けに供される受接孔が開設されたことを特徴とする、自動無段変速機構としている。
請求項１７の発明は、請求項１３に記載の自動無段変速機構において、固定手段に連接棒の組み付けに供される受接孔が開設されたことを特徴とする、自動無段変速機構としている。
請求項１８の発明は、請求項１５に記載の自動無段変速機構において、固定手段に固定棒の組み付けに供される受接孔が開設されたことを特徴とする、自動無段変速機構としている。
請求項１９の発明は、請求項１に記載の自動無段変速機構において、回復機構が引張りバネ、架接盤に設けられた固定棒及び架接盤に設置された連接棒で組成されたことを特徴とする、自動無段変速機構としている。
請求項２０の発明は、請求項１９に記載の自動無段変速機構において、引張りバネの一端が軸棒に組み付けられ、もう一端が固定棒に巻かれた後に連接棒に組み付けられ、該引張りバネにより軸棒が回転させられると共にガイドレール内を滑動することを特徴とする、自動無段変速機構としている。
請求項２１の発明は、請求項１９に記載の自動無段変速機構において、引張りバネの一端が軸棒に組み付けられ、もう一端が連接棒に巻かれた後に固定棒に組み付けられ、該引張りバネにより軸棒が回転させられると共にガイドレール内を滑動することを特徴とする、自動無段変速機構としている。
請求項２２の発明は、請求項１に記載の自動無段変速機構において、回復機構が板バネ及び架接盤に設けられた固定棒で組成されたことを特徴とする、自動無段変速機構としている。
請求項２３の発明は、請求項２２に記載の自動無段変速機構において、板バネの一端が軸棒に組み付けられ、もう一端が固定棒に組み付けられ、該板バネにより軸棒が回転させられると共にガイドレール内を滑動することを特徴とする、自動無段変速機構としている。
請求項２４の発明は、請求項１に記載の自動無段変速機構において、回復機構が板バネ及び架接盤に設けられた連接棒で組成されたことを特徴とする、自動無段変速機構としている。
請求項２５の発明は、請求項２４に記載の自動無段変速機構において、板バネの一端が軸棒に組み付けられ、もう一端が連接棒に組み付けられ、該板バネにより軸棒が回転させられると共にガイドレール内を滑動することを特徴とする、自動無段変速機構としている。
請求項２６の発明は、請求項１に記載の自動無段変速機構において、回復機構が弾性ゴム材及び架接盤に設けられた固定棒及び架接盤に設置された連接棒で組成されたことを特徴とする、自動無段変速機構としている。
請求項２７の発明は、請求項２６に記載の自動無段変速機構において、弾性ゴム材の一端が軸棒に組み付けられ、もう一端が固定棒に巻かれた後に連接棒に組み付けられ、該弾性ゴム材により軸棒が回転させられると共にガイドレール内を滑動することを特徴とする、自動無段変速機構としている。
請求項２８の発明は、請求項２６に記載の自動無段変速機構において、弾性ゴム材の一端が軸棒に組み付けられ、もう一端が連接棒に巻かれた後に固定棒に組み付けられ、該弾性ゴム材により軸棒が回転させられると共にガイドレール内を滑動することを特徴とする、自動無段変速機構としている。
請求項２９の発明は、請求項１に記載の自動無段変速機構において、駆動手段に軸棒の嵌設に供される固定孔が開設されたことを特徴とする、自動無段変速機構としている。
請求項３０の発明は、請求項１に記載の自動無段変速機構において、駆動手段が歯車とされたことを特徴とする、自動無段変速機構としている。
請求項３１の発明は、請求項１に記載の自動無段変速機構において、伝動手段がチェーンとされたことを特徴とする、自動無段変速機構としている。
請求項３２の発明は、請求項１に記載の自動無段変速機構において、枢軸に凸部が設けられ、且つ架接盤の該凸部の嵌め込みに供される部分に凹溝が設けられ、該凸部と凹溝により、枢軸が回転時に架接盤を駆動し同期に回転させることを特徴とする、自動無段変速機構としている。
請求項３３の発明は、請求項１に記載の自動無段変速機構において、伝動手段が枢軸の軸心と同じ水平面上にあるローラに掛けられて伝動手段の緊張度の保持を達成したことを特徴とする、自動無段変速機構としている。
【０００７】
【発明の実施の形態】
本発明の自動無段変速機構について、図１、２の本発明の実施例の駆動状態の立体分解図及び立体組合せ図を参照されたい。図示されるように、それは枢軸１１に凸部１１１が設置され、且つ架接盤２１、２２、２３の凸部１１１の嵌めこまれる部分に凹溝２１２、２２４、２３３が開設され、この凸部１１１が凹溝２１２、２２４、２３３が嵌め込まれることにより、枢軸１１が複数の架接盤２１、２２、２３に嵌め込まれ、且つこれら架接盤２１、２２、２３に軸棒３１の滑動と回転に供されるガイドレール２１１、２２１、２３１が設けられ、並びにこの軸棒３１に連動機構４１、回復機構５１、及び駆動手段６１が設けられている。そのうち、連動機構４１はチェーン４１１、軸棒３１とチェーン４１１間に組み付けられた連接手段４１２、架接盤２２に設けられた連接棒２２３及び連接棒２２３とチェーン４１１間に組み付けられた固定手段４１３で組成されている。該チェーン４１１の１端は連接手段４１２で軸棒３１に組み付けられ、もう一端は固定手段４１３で連接棒２２３に組み付けられている。該回復機構５１は引張りバネ５１１、架接盤２２に設けられた固定棒２２２及び架接盤２２に設置された連接棒２２３で組成され、該引張りバネ５１１の一端が軸棒３１に組み付けられ、該駆動手段６１に伝動手段７が掛けられている。
【０００８】
組立時には、軸棒３１に設置された受接部３１１が駆動手段６１に開設された固定孔６１１に嵌止めされ、並びにこの軸棒３１がガイドレール２１１、２２１、２３１を貫通した後、連接手段４１２に開設された受接孔４１２ａが軸棒３１と組み合わされ、該チェーン４１１がこの軸棒３１に組み付けられ、並びに固定手段４１３に開設された受接孔４１３ａと連接棒２２３が組み付けられる。引張りバネ５１１の一端は軸棒３１に組み付けられ、もう一端は固定棒２２２に巻かれた後に連接棒２２３に組み付けられる。螺子止め手段８が架接盤２３に開設された貫通孔２３２を貫通した後、固定棒２２２に開設されたネジ孔２２２ａにねじ込まれ、最後に伝動手段７がこの駆動手段６１に掛けられる。
【０００９】
図３、４は本発明の実施例の受動状態の立体分解図及び立体組合せ図である。図示されるように、それは、枢軸１２に凸部１２１が設置され、且つ架接盤２４、２５、２６の凸部１２１の嵌め込み部分に凹溝２４２、２５４、２６３が開設され、この凸部１２１が凹溝２４２、２５４、２６３に嵌め込まれて、枢軸１２が複数の架接盤２４、２５、２６に嵌め込まれ、且つこれら架接盤２４、２５、２６に軸棒３２の滑動に供されるガイドレール２４１、２５１、２６１が設けられ、並びにこの軸棒３２に連動機構４２、回復機構５２、及び駆動手段６２が設けられている。そのうち、連動機構４２はチェーン４２１、軸棒３２とチェーン４２１間に組み付けられた連接手段４２２、架接盤２５に設けられた固定棒２５２及び固定棒２５２とチェーン４２１間に組み付けられた固定手段４２３で組成されている。該チェーン４２１の一端は連接手段４２２で軸棒３２に組み付けられ、もう一端は固定手段４２３で固定棒２５２に組み付けられている。該回復機構５２は引張りバネ５２１、架接盤２５に設けられた固定棒２５２及び架接盤２５に設置された連接棒２５３で組成され、該引張りバネ５２１の一端が軸棒３２に組み付けられ、もう一端が連接棒２５３に巻かれた後に固定棒２５２に組み付けられている。該駆動手段６２に伝動手段７が掛けられている。
【００１０】
組立時には、軸棒３２に設置された受接部３２１が駆動手段６２に開設された固定孔６２１に嵌止めされ、並びにこの軸棒３２がガイドレール２４１、２５１、２６１を貫通した後、連接手段４２２に開設された受接孔４２２ａが軸棒３２と組み合わされ、該チェーン４２１がこの軸棒３２に組み付けられ、並びに固定手段４２３に開設された受接孔４２３ａと連接棒２５２が組み付けられる。引張りバネ５２１の一端は軸棒３２に組み付けられ、もう一端は連接棒２５３に巻かれた後に固定棒２５２に組み付けられる。螺子止め手段８が架接盤２６に開設された貫通孔２６２を貫通した後、固定棒２５２に開設されたネジ孔２５２ａにねじ込まれ、最後に伝動手段７がこの駆動手段６２に掛けられる。
【００１１】
図５、６は本発明のチェーン及び引張りバネ部分の原状態下での組合せ断面側面図であり、図示されるように、枢軸１１が時計回りに回転する時、凸部１１１の作用により架接盤２１、２２、２３が同期に時計回りに回転し、ゆえに架接盤２１、２２、２３に設置された軸棒３１及び駆動手段６１もまた同期に時計回りに回転し、且つ受接部３１１に嵌め込まれた駆動手段６１により、この駆動手段６１に掛けられた伝動手段７もまた駆動され、これと同時に、伝動手段７に掛けられた駆動手段６２もまた駆動されて時計回りに回転し、且つ駆動手段６１に嵌め込まれた軸棒３２により、架接盤２４、２５、２６、枢軸１２もまた時計回りに回転する。
【００１２】
図７、８は本発明のチェーンと引張りバネの作用中の組合せ断面側面図である。図示されるように、枢軸１１の運転の力が伝動手段７の発生する抵抗力（すなわち枢軸１２の必要とする力）より小さい時、伝動手段７に組み付けられた駆動手段６１は逆時計回りに回転し、これと同時に、該駆動手段６１に嵌め込まれた軸棒３１が連動機構４１の制限を受けるため、この軸棒３１が駆動手段６１に駆動されて逆時計回りに回転すると同時に、ガイドレール２１１、２２１、２３１に沿って枢軸１２の方向に滑動し、これによりその回転半径が縮小され、速度比自動無段改変の機能が達成される。ただし、もしこの時枢軸１１の運転の力が伝動手段７の発生する抵抗力より大きければ、該軸棒３１に組み付けられた回復機構５１がこの軸棒３１を図５、６に示される状態に回復させる。
【００１３】
伝動手段７の伝送する引張り力（即ち枢軸１１の運転が発生する力）が枢軸１２を運転するのに必要な力より小さい時、伝動手段７に組み付けられた駆動手段６２は時計回りに回転し、これと同時に駆動手段６２に嵌め込まれた軸棒３２が連動機構４２の制限を受けるため、軸棒３２が駆動手段６２に駆動されて時計回りに回転すると同時に、ガイドレール２４１、２５１、２６１に沿って架接盤２４、２５、２６の外縁に向かう方向に滑動し、これによりその回転半径が増大し、速度比自動無段改変の機能が達成される。ただし、もしこの時、該枢軸１２の運転に必要な力が伝動手段７の伝送する引張り力より小さければ、軸棒３２に組み付けられた回復機構５２が軸棒３２を図５、６に示される状態に回復させる。
【００１４】
且つ上述の構造中、該駆動手段６１、６２及び伝動手段７は任意の伝動態様とされ、本実施例及び本図中に表示される歯車及びチェーンに限定されるわけではない。且つ上述の構造中、該連動機構４１、４２は任意の伝動態様とされ、本実施例及び本図面中に表示されるチェーン４１１、４２１、連接手段４１２、４２２、連接棒２２３、２５３、固定棒２２２、２５２或いは固定手段４１３、４２２３に限定されるわけではない。且つ、上述の構造中、回復機構５１、５２は任意の伝動態様とされ、本実施例及び本図面に表示される引張りバネ５１１、５２１、固定棒２２２、２５２或いは連接棒２２３、２５３に限定される訳ではない。
【００１５】
図９、１０は本発明の実施例が駆動状態にあり且つ連動機構４１が歯車４１４及びラック４１５で現出された立体分解図及び立体組合せ図である。図示されるように、該連動機構４１は軸棒３１に組み付けられた歯車４１４及び枢軸１１に組み付けられたラック４１５で組成される。該回復機構５１は引張りバネ５１１、架接盤２２に設けられた固定棒２２２及び架接盤２２に設置された連接棒２２３で組成され、該引張りバネ５１１の一端は軸棒３１に組み付けられ、もう一端は固定棒２２２に巻かれた後に連接棒２２３に組み付けられている。駆動手段６１には伝動手段７が掛けられている。
【００１６】
組立時には、軸棒３１に設置された受接部３１１が駆動手段６１に開設された固定孔６１１に嵌め込まれ並びにこの軸棒３１がガイドレール２１１、２２１、２３１に通された後、歯車４１４に開設された貫通孔４１４ａと軸棒３１が組み付けられ、並びに歯車４１４が枢軸１１に設置されたラック４１５と噛み合わされる。引張りバネ５１１の一端は軸棒３１に組み付けられ、もう一端は固定棒２２２に巻かれた後に連接棒２２３に組み付けられる。螺子止め手段８が架接盤２３に開設された貫通孔２３２を貫通した後、固定棒２２２に開設されたネジ孔２２２ａにねじ込まれ、最後に伝動手段７がこの駆動手段６１に組み合わされる。
【００１７】
その運転原理及びその発生する機能は前述の連動機構４１（チェーン４１１、軸棒３１とチェーン４１１間に組み付けられた連接手段４１２、架接盤２２に設けられた連接棒２２３及び連接棒２２３とチェーン４１１間に組み付けられた固定手段４１３で組成されている）と同じである。
【００１８】
図１１、１２は本発明が受動状態にあり且つ連動機構４２が歯車４２４及びラック４２５で現出された立体分解図及び立体組合せ図である。図示されるように、連動機構４２は軸棒３２に組み付けられた歯車４２４及び枢軸１２に組み付けられたラック４２５で組成される。該回復機構５２は引張りバネ５２１、架接盤２５に設けられた固定棒２５２及び架接盤２５に設置された連接棒２５３で組成され、該引張りバネ５２１の一端は軸棒３２に組み付けられ、もう一端は連接棒２５３に巻かれた後に固定棒２５２に組み付けられている。駆動手段６２には伝動手段７が組み合わされている。
【００１９】
組立時には、軸棒３２に設置された受接部３２１が駆動手段６２に開設された固定孔６２１に嵌め込まれ並びにこの軸棒３２がガイドレール２４１、２５１、２６１に通された後、歯車４２４に開設された貫通孔４２４ａと軸棒３２が組み付けられ、並びに歯車４２４が枢軸１２に設置されたラック４２５と噛み合わされる。引張りバネ５２１の一端は軸棒３２に組み付けられ、もう一端は連接棒２５３に巻かれた後に固定棒２５２に組み付けられる。螺子止め手段８が架接盤２６に開設された貫通孔２６２を貫通した後、固定棒２５２に開設されたネジ孔２５２ａにねじ込まれ、最後に伝動手段７がこの駆動手段６２に組み合わされる。
【００２０】
その運転原理及びその発生する機能は前述の連動機構４２（チェーン４２１、軸棒３２とチェーン４２１間に組み付けられた連接手段４２２、架接盤２５に設けられた固定棒２５２及び固定棒２５２とチェーン４２１間に組み付けられた固定手段４２３で組成されている）と同じである。
【００２１】
図１３、１４は本発明の実施例が駆動状態にあり且つ連動機構４１がスチールケーブル４１６、軸棒３１とスチールケーブル４１６間に組み付けられた連接手段４１７、架接盤２２に設けられた固定棒２２２、及び連接棒２２３とスチールケーブル４１６間に組み付けられた固定手段４１８を以て現出された立体分解図及び立体組合せ図である。図示されるように、連動機構４１はスチールケーブル４１６、軸棒３１とスチールケーブル４１６間の連接手段４１７、架接盤２２に設けられた連接棒２２３及び連接棒２２３とスチールケーブル４１６間に組み付けられた固定手段４１８で組成され、該スチールケーブル４１６の一端は連接手段４１７で軸棒３１に組み付けられ、もう一端は固定手段４１８で連接棒２２３に組み付けられている。該回復機構５１は引張りバネ５１１、架接盤２２に設けられた固定棒２２２及び架接盤２２に設置された連接棒２２３で組成され、該引張りバネ５１１の一端は軸棒３１に組み付けられ、もう一端は固定棒２２２に巻かれた後に連接棒２２３に組み付けられ、該駆動手段６１には伝動手段７が組み合わされている。
【００２２】
組立時には、軸棒３１に設置された受接部３１１が駆動手段６１に開設された固定孔６１１に嵌め込まれ並びにこの軸棒３１がガイドレール２１１、２２１、２３１に通された後、連接手段４１７に開設された受接孔４１７ａに組み合わされ、該スチールケーブル４１６がこの軸棒３１に組み付けられ、並びに固定手段４１８に開設された受接孔４１８ａが連接棒２２３に組み付けられる。引張りバネ５１１の一端は軸棒３１に組み付けられ、もう一端は固定棒２２２に巻かれた後に連接棒２２３に組み付けられる。螺子止め手段８が架接盤２３に開設された貫通孔２３２を貫通した後、固定棒２２２に開設されたネジ孔２２２ａにねじ込まれ、最後に伝動手段７がこの駆動手段６１に組み合わされる。
【００２３】
その運転原理及びその発生する機能は前述の連動機構４１（チェーン４１１、軸棒３１とチェーン４１１間に組み付けられた連接手段４１２、架接盤２２に設けられた連接棒２２３及び連接棒２２３とチェーン４１１間に組み付けられた固定手段４１３で組成されている）と同じである。
【００２４】
図１５、１６は本発明の実施例が受動状態にあり且つ連動機構４２がスチールケーブル４２６、軸棒３２とスチールケーブル４２６間に組み付けられた連接手段４２７、架接盤２５に設けられた固定棒２５２、及び固定棒２５２とスチールケーブル４２６間に組み付けられた固定手段４２８を以て現出された立体分解図及び立体組合せ図である。図示されるように、連動機構４２はスチールケーブル４２６、軸棒３２とスチールケーブル４２６間の連接手段４２７、架接盤２５に設けられた固定棒２５２及び固定棒２５２とスチールケーブル４２６間に組み付けられた固定手段４２８で組成され、該スチールケーブル４２６の一端は連接手段４２７で軸棒３２に組み付けられ、もう一端は固定手段４２８で固定棒２５２に組み付けられている。該回復機構５２は引張りバネ５２１、架接盤２５に設けられた固定棒２５２及び架接盤２５に設置された連接棒２５３で組成され、該引張りバネ５２１の一端は軸棒３２に組み付けられ、もう一端は連接棒２５３に巻かれた後に固定棒２５２に組み付けられ、該駆動手段６２には伝動手段７が組み合わされている。
【００２５】
組立時には、軸棒３２に設置された受接部３２１が駆動手段６２に開設された固定孔６２１に嵌め込まれ並びにこの軸棒３２がガイドレール２４１、２５１、２６１に通された後、連接手段４２７に開設された受接孔４２７ａに組み合わされ、該スチールケーブル４２６がこの軸棒３２に組み付けられ、並びに固定手段４２８に開設された受接孔４２８ａが固定棒２５２に組み付けられる。引張りバネ５２１の一端は軸棒３２に組み付けられ、もう一端は連接棒２５３に巻かれた後に固定棒２５２に組み付けられる。螺子止め手段８が架接盤２６に開設された貫通孔２６２を貫通した後、固定棒２５２に開設されたネジ孔２５２ａにねじ込まれ、最後に伝動手段７がこの駆動手段６２に組み合わされる。
【００２６】
その運転原理及びその発生する機能は前述の連動機構４２（チェーン４２１、軸棒３２とチェーン４２１間に組み付けられた連接手段４２２、架接盤２５に設けられた固定棒２５２及び固定棒２５２とチェーン４２１間に組み付けられた固定手段４２３で組成されている）と同じである。
【００２７】
図１７、１８は本発明の実施例が駆動状態にあり且つ回復機構５１が板バネ５１２を以て現出された立体分解図及び立体組合せ図である。図示されるように、連動機構４１はチェーン４１１、軸棒３１とチェーン４１１間に組み付けられた連接手段４１２、架接盤２２に設けられた連接棒２２３及び連接棒２２３とチェーン４１１間に組み付けられた固定手段４１３で組成され、該チェーン４１１の一端は連接手段４１２で軸棒３１に組み付けられ、もう一端は固定手段４１３で連接棒２２３に組み付けられている。該回復機構５１は板バネ５１２及び架接盤２２に設けられた固定棒２２２で組成され、該板バネ５１２の一端は軸棒３１に組み付けられ、もう一端は固定棒２２２に組み付けられている。該駆動手段６１には伝動手段７が組み合わされている。
【００２８】
組立時には、軸棒３１に設置された受接部３１１が駆動手段６１に開設された固定孔６１１に嵌め込まれ並びにこの軸棒３１がガイドレール２１１、２２１、２３１に通された後、連接手段４１２に開設された受接孔４１２ａに組み合わされ、該チェーン４１１がこの軸棒３１に組み付けられ、並びに固定手段４１３に開設された受接孔４１３ａが連接棒２２３に組み付けられる。板バネ５１２の一端は軸棒３１に組み付けられ、もう一端は固定棒２２２に組み付けられる。螺子止め手段８が架接盤２３に開設された貫通孔２３２を貫通した後、固定棒２２２に開設されたネジ孔２２２ａにねじ込まれ、最後に伝動手段７がこの駆動手段６１に組み合わされる。
【００２９】
その運転原理及びその発生する機能は前述の回復機構５１（引張りバネ５１１、架接盤２２に設けられた固定棒２２２及び架接盤２２に設置された連接棒２２３で組成されている）と同じである。
【００３０】
図１９、２０は本発明の実施例が受動状態にあり且つ回復機構５２が板バネ５２２を以て現出された立体分解図及び立体組合せ図である。図示されるように、連動機構４２はチェーン４２１、軸棒３２とチェーン４２１間に組み付けられた連接手段４２２、架接盤２５に設けられた固定棒２５２及び固定棒２５２とチェーン４２１間に組み付けられた連接手段４２３で組成され、該チェーン４２１の一端は連接手段４２２で軸棒３２に組み付けられ、もう一端は固定手段４２３で固定棒２５２に組み付けられている。該回復機構５２は板バネ５２２及び架接盤２５に設けられた連接棒２５３で組成され、該板バネ５２２の一端は軸棒３２に組み付けられ、もう一端は連接棒２５３に組み付けられている。該駆動手段６２には伝動手段７が組み合わされている。
【００３１】
組立時には、軸棒３２に設置された受接部３２１が駆動手段６２に開設された固定孔６２１に嵌め込まれ並びにこの軸棒３２がガイドレール２４１、２５１、２６１に通された後、連接手段４１２に開設された受接孔４２２ａに組み合わされ、該チェーン４２１がこの軸棒３２に組み付けられ、並びに固定手段４２３に開設された受接孔４２３ａが固定棒２５２に組み付けられる。板バネ５２２の一端は軸棒３２に組み付けられ、もう一端は連接棒２５３に組み付けられる。螺子止め手段８が架接盤２６に開設された貫通孔２６２を貫通した後、固定棒２５２に開設されたネジ孔２５２ａにねじ込まれ、最後に伝動手段７がこの駆動手段６２に組み合わされる。
【００３２】
その運転原理及びその発生する機能は前述の回復機構５２（引張りバネ５２１、架接盤２５に設けられた固定棒２５２及び架接盤２５に設置された連接棒２５３で組成されている）と同じである。
【００３３】
図２１、２２は本発明の実施例が駆動状態にあり且つ回復機構５１が弾性ゴム材５１３を以て現出された立体分解図及び立体組合せ図である。図示されるように、連動機構４１はチェーン４１１、軸棒３１とチェーン４１１間に組み付けられた連接手段４１２、架接盤２２に設けられた連接棒２２３及び連接棒２２３とチェーン４１１間に組み付けられた固定手段４１３で組成され、該チェーン４１１の一端は連接手段４１２で軸棒３１に組み付けられ、もう一端は固定手段４１３で連接棒２２３に組み付けられている。該回復機構５１は弾性ゴム材５１３及び架接盤２２に設けられた固定棒２２２、及び架接盤２２に設置された連接棒２２３で組成され、該弾性ゴム材５１３の一端は軸棒３１に組み付けられ、もう一端は固定棒２２２に組み合わされた後に連接棒２２３に組み付けられている。該駆動手段６１には伝動手段７が組み合わされている。
【００３４】
組立時には、軸棒３１に設置された受接部３１１が駆動手段６１に開設された固定孔６１１に嵌め込まれ並びにこの軸棒３１がガイドレール２１１、２２１、２３１に通された後、連接手段４１２に開設された受接孔４１２ａに組み合わされ、該チェーン４１１がこの軸棒３１に組み付けられ、並びに固定手段４１３に開設された受接孔４１３ａが連接棒２２３に組み付けられる。弾性ゴム材５１３の一端に開設された貫通孔５１３ａと軸棒３１が組み付けられ、もう一端に開設された貫通孔５１３ａが固定棒２２２に組み合わされた後に連接棒２２３に組み付けられる。螺子止め手段８が架接盤２３に開設された貫通孔２３２を貫通した後、固定棒２２２に開設されたネジ孔２２２ａにねじ込まれ、最後に伝動手段７がこの駆動手段６１に組み合わされる。
【００３５】
その運転原理及びその発生する機能は前述の回復機構５１（引張りバネ５１１、架接盤２２に設けられた固定棒２２２及び架接盤２２に設置された連接棒２２３で組成されている）と同じである。
【００３６】
図２３、２４は本発明の実施例が受動状態にあり且つ回復機構５２が弾性ゴム材５２３を以て現出された立体分解図及び立体組合せ図である。図示されるように、連動機構４２はチェーン４２１、軸棒３２とチェーン４２１間に組み付けられた連接手段４２２、架接盤２５に設けられた固定棒２５２及び固定棒２５２とチェーン４２１間に組み付けられた連接手段４２３で組成され、該チェーン４２１の一端は連接手段４２２で軸棒３２に組み付けられ、もう一端は固定手段４２３で固定棒２５２に組み付けられている。該回復機構５２は弾性ゴム材５２３及び架接盤２５に設けられた固定棒２５２、及び架接盤２５に設置された連接棒２５３で組成され、該弾性ゴム材５２３の一端は軸棒３２に組み付けられ、もう一端は連接棒２５３に組み付けられた後に固定棒２５２に組み付けられている。該駆動手段６２には伝動手段７が組み合わされている。
【００３７】
組立時には、軸棒３２に設置された受接部３２１が駆動手段６２に開設された固定孔６２１に嵌め込まれ並びにこの軸棒３２がガイドレール２４１、２５１、２６１に通された後、連接手段４２２に開設された受接孔４２２ａに組み合わされ、該チェーン４２１がこの軸棒３２に組み付けられ、並びに固定手段４２３に開設された受接孔４２３ａが固定棒２５２に組み付けられる。弾性ゴム材５２３の一端に開設された貫通孔５２３ａは軸棒３２に組み付けられ、もう一端の貫通孔５２３ａは連接棒２５３に組み合わされた後、固定棒２５２に組み付けられる。螺子止め手段８が架接盤２６に開設された貫通孔２６２を貫通した後、固定棒２５２に開設されたネジ孔２５２ａにねじ込まれ、最後に伝動手段７がこの駆動手段６２に組み合わされる。
【００３８】
その運転原理及びその発生する機能は前述の回復機構５２（引張りバネ５２１、架接盤２５に設けられた固定棒２５２及び架接盤２５に設置された連接棒２５３で組成されている）と同じである。
【００３９】
上述の構造中、該軸棒３１、３２、連動機構４１、４２、回復機構５１、５２及び駆動手段６１、６２は本実施例及び本図では四組を以て例としているが、異なる状況下では増減が可能である。且つ上述の構造中、該ガイドレール２１１、２２１、２３１、２４１、２５１、２６１は本実施例及び本図中では径方向の溝を例としているが、異なる状況下に応じて任意の形態とされうる。
【００４０】
図２５、２６を参照されたい。図示されるように、その伝動手段７は枢軸１１、１２の軸心と同じ水平面にあるローラ９に掛けられ、伝動手段７の緊張度の保持が達成されている。
【００４１】
このほか、上述の構造中、駆動手段６１、６２及び伝動手段７は歯車及びチェーンとされ、ゆえにその伝動過程中、その他の伝動構造と較べて摩擦係数が小さく、これにより放熱用の保養油を加える必要がない。
【００４２】
【発明の効果】
総合すると、本発明の提供する自動無段変速機構は、確実に特許の要件に符合する。なお、以上の実施例は本発明の実施範囲を限定するものではなく、本発明に基づきなしうる細部の修飾或いは改変は、いずれも本発明の請求範囲に属するものとする。
【図面の簡単な説明】
【図１】本発明の駆動状態の立体分解図である。
【図２】本発明の駆動状態の立体組合せ図である。
【図３】本発明の受動状態の立体分解図である。
【図４】本発明の受動状態の立体組合せ図である。
【図５】図２及び図４のＡ−Ａ切断線で表現されるチェーンの原状態組合せ断面側面図である。
【図６】図２及び図４のＡ−Ａ切断線で表現される引張りバネの原状態組合せ断面側面図である。
【図７】図２及び図４のＢ−Ｂ切断線で表現されるチェーンの作用中組合せ断面側面図である。
【図８】図２及び図４のＡ−Ａ切断線で表現される引張りバネの作用中組合せ断面側面図である。
【図９】本発明が駆動状態にあり且つ連動機構が歯車とラックで現出された立体分解図である。
【図１０】本発明が駆動状態にあり且つ連動機構が歯車とラックで現出された立体組合せ図である。
【図１１】本発明が受動状態にあり且つ連動機構が歯車とラックで現出された立体分解図である。
【図１２】本発明が受動状態にあり且つ連動機構が歯車とラックで現出された立体組合せ図である。
【図１３】本発明が駆動状態にあり且つ連動機構にスチールケーブルが設けられた立体分解図である。
【図１４】本発明が駆動状態にあり且つ連動機構にスチールケーブルが設けられた立体組合せ図である。
【図１５】本発明が受動状態にあり且つ連動機構にスチールケーブルが設けられた立体分解図である。
【図１６】本発明が受動状態にあり且つ連動機構にスチールケーブルが設けられた立体組合せ図である。
【図１７】本発明が駆動状態にあり且つ回復機構が板バネで実施された立体分解図である。
【図１８】本発明が駆動状態にあり且つ回復機構が板バネで実施された立体組合せ図である。
【図１９】本発明が受動状態にあり且つ回復機構が板バネで実施された立体分解図である。
【図２０】本発明が受動状態にあり且つ回復機構が板バネで実施された立体組合せ図である。
【図２１】本発明が駆動状態にあり且つ回復機構が弾性ゴム材で実施された立体分解図である。
【図２２】本発明が駆動状態にあり且つ回復機構が弾性ゴム材で実施された立体組合せ図である。
【図２３】本発明が受動状態にあり且つ回復機構が弾性ゴム材で実施された立体分解図である。
【図２４】本発明が受動状態にあり且つ回復機構が弾性ゴム材で実施された立体組合せ図である。
【図２５】図２及び図４のＡ−Ａ切断線で表現される、引張りバネが原状態で、且つ二つの枢軸間にローラが増設された組合せ断面側面図である。
【図２６】図２及び図４のＡ−Ａ切断線で表現される、引張りバネが作用中で、且つ二つの枢軸間にローラが増設された組合せ断面側面図である。
【符号の説明】
１１　枢軸　　　　　　　　１１１　凸部
１２　枢軸　　　　　　　　１２１　凸部
２１　架接盤　　　　　　　２１１　ガイドレール
２１２　凹溝　　　　　　　２２　架接盤
２２１　ガイドレール　　　２２２　固定棒
２２２ａ　ネジ孔　　　　　２２３　連接棒
２２４　凹溝　　　　　　　２３　架接盤
２３１　ガイドレール　　　２３２　貫通孔
２３３　凹溝　　　　　　　２４　架接盤
２４１　ガイドレール　　　２４２　凹溝
２５　架接盤　　　　　　　２５１　ガイドレール
２５２　固定棒　　　　　　２５２ａ　ネジ孔
２５３　連接棒　　　　　　２５４　凹溝
２６　架接盤　　　　　　　２６１　ガイドレール
２６２　貫通孔　　　　　　２６３　凹溝
３１　軸棒　　　　　　　　３１１　受接部
３２　軸棒　　　　　　　　３２１　受接部
４１　連動機構　　　　　　４１１　チェーン
４１２　連接手段　　　　　４１２ａ　受接孔
４１３　固定手段　　　　　４１３ａ　受接孔
４１４　歯車　　　　　　　４１４ａ　貫通孔
４１５　ラック　　　　　　４１６　スチールケーブル
４１７　連接手段　　　　　４１７ａ　受接孔
４１８　固定手段　　　　　４１８ａ　受接孔
４２　連動機構　　　　　　４２１　チェーン
４２２　連接手段　　　　　４２２ａ　受接孔
４２３　固定手段　　　　　４２３ａ　受接孔
４２４　歯車　　　　　　　４２４ａ　貫通孔
４２５　ラック　　　　　　４２６　スチールケーブル
４２７　連接手段　　　　　４２７ａ　受接孔
４２８　固定手段　　　　　４２８ａ　受接孔
５１　回復機構　　　　　　５１１　引張りバネ
５１２　板バネ　　　　　　５１３　弾性ゴム材
５１３ａ　貫通孔　　　　　５２　回復機構
５２１　引張りバネ　　　　５２２　板バネ
５２３　弾性ゴム材　　　　５２３ａ　貫通孔
６１　駆動手段　　　　　　６１１　固定孔
６２　駆動手段　　　　　　６２１　固定孔
７　伝動手段　　　　　　　８　螺子止め手段
９　ローラ
【図１】
2004116586.tif 000003
【図２】
2004116586.tif 000004
【図３】
2004116586.tif 000005
【図４】
2004116586.tif 000006
【図５】
2004116586.tif 000007
【図６】
2004116586.tif 000008
【図７】
2004116586.tif 000009
【図８】
2004116586.tif 000010
【図９】
2004116586.tif 000011
【図１０】
2004116586.tif 000012
【図１１】
2004116586.tif 000013
【図１２】
2004116586.tif 000014
【図１３】
2004116586.tif 000015
【図１４】
2004116586.tif 000016
【図１５】
2004116586.tif 000017
【図１６】
2004116586.tif 000018
【図１７】
2004116586.tif 000019
【図１８】
2004116586.tif 000020
【図１９】
2004116586.tif 000021
【図２０】
2004116586.tif 000022
【図２１】
2004116586.tif 000023
【図２２】
2004116586.tif 000024
【図２３】
2004116586.tif 000025
【図２４】
2004116586.tif 000026
【図２５】
2004116586.tif 000027
【図２６】
2004116586.tif 000028